(57)【特許請求の範囲】
【請求項１】
液晶パネルとバックライト筐体とを備え、
前記液晶パネルは、
カラーフィルタ基板と、
その一方主面の周縁部が露出する様にその一方主面に前記カラーフィルタ基板が配設されたＴＦＴ基板と、
を備え、
前記バックライト筐体は、
前記ＴＦＴ基板が配置される固定面と、
前記固定面上に形成され、前記固定面上に位置決め配置された前記ＴＦＴ基板の前記周縁部に係合する係合爪と、
を備えることを特徴とする液晶表示装置。
【請求項２】
前記バックライト筐体の前記固定面上に形成され、前記ＴＦＴ基板の３辺の位置を位置決めする位置決め部を更に備えることを特徴とする請求項１に記載の液晶表示装置。
【請求項３】
前記位置決め部の内側面から突出・後退自在に可動する様に配設され、その突出状態で、前記ＴＦＴ基板の残りの１辺の位置を位置決めし、その後退状態で、前記固定面の面方向からの前記ＴＦＴ基板の前記固定面上への挿入・取り外しを可能とする可動部材を更に備えることを特徴とする請求項２に記載の液晶表示装置。
【請求項４】
前記可動部材は、前記位置決め部の端部において前記位置決め部の内側面に垂直な方向に可動する様に配設されることを特徴とする請求項３に記載の液晶表示装置。
【発明の詳細な説明】
【技術分野】
【０００１】
本発明は、ノート型やデスクトップ型のパソコン、テレビ、モニター、携帯電話などの移動端末などに用いられる液晶表示装置に関するものである。
【背景技術】
【０００２】
従来の液晶表示装置では、液晶パネルとバックライト筐体との相互固定は、バックライト筐体側に付けられた両面テープにより行われている（例えば特許文献１）。
【０００３】
【特許文献１】特開平７−２１８９１３号公報
【発明の開示】
【発明が解決しようとする課題】
【０００４】
従来の液晶表示装置では、液晶パネルとバックライト筐体との相互固定は、両面テープで行われるので、その固定後に液晶パネルとバックライトとの間に異物やゴミなどが検出された場合は、手直しが容易に行えず、バックライト筐体の交換、若しくは、液晶パネルとバックライト筐体の双方を不良として破棄していた。
【０００５】
液晶表示装置は、その製造方法に関する技術の進展に伴い、低コスト化が進んでおり、僅かでも仕損じや無駄を減らすことが望まれ、そのためにも不良の手直しは必須となっている。
【０００６】
この発明は、上記のような問題点を解決するためになされたものであり、液晶パネルとバックライト筐体との間に異物やゴミが検出された場合に容易に手直しができる液晶表示装置を提供することにある。
【課題を解決するための手段】
【０００７】
上記課題を解決する為には、請求項１に記載の発明は、液晶パネルとバックライト筐体とを備え、前記液晶パネルは、カラーフィルタ基板と、その一方主面の周縁部が露出する様にその一方主面に前記カラーフィルタ基板が配設されたＴＦＴ基板と、を備え、前記バックライト筐体は、前記ＴＦＴ基板が配置される固定面と、前記固定面上に形成され、前記固定面上に位置決め配置された前記ＴＦＴ基板の前記周縁部に係合する係合爪と、を備えるものである。
【発明の効果】
【０００８】
請求項１に記載の発明によれば、液晶パネルのバックライト筐体への固定・取り外しが自在に行え、これにより液晶パネルとバックライト筐体との間に異物やゴミが検出された場合に容易に手直しができる。
【発明を実施するための最良の形態】
【０００９】
実施の形態１．
この実施の形態に係る液晶表示装置１は、液晶パネル３（図１）と、バックライト筐体５（図２）とを備えている。
【００１０】
液晶パネル３は、図１の様に、ＴＦＴガラス基板（ＴＦＴ基板）３１と、ＴＦＴガラス基板３１に配設されたＣＦ（カラーフィルタ）ガラス基板（カラーフィルタ基板）３２とを備えている。
【００１１】
ＣＦガラス基板３２は、矩形形状の板状に形成されている。
【００１２】
ＴＦＴガラス基板３１は、ＣＦガラス基板３２よりも大きい矩形形状の板状に形成されている。ＴＦＴガラス基板３１の一方主面には、その周縁部３１ａ，３１ｂ，３１ｃを露出する様にＣＦガラス基板３２が配設されると共に、その一側の周縁部３１ｃにＦＰＣ（フレキシブルプリント基板）３３が配設される。
【００１３】
バックライト筐体５は、図２の様に、例えば矩形形状の板状に形成されており、その一方主面５ａが液晶パネル３が固定される固定面になっている。この固定面５ａには、ＴＦＴガラス基板３１の３辺３１ｄ、３１ｅの位置を位置決めする位置決め部５ｂが凸状形成されている。ここでは、位置決め部５ｂは、固定面５ａの３辺に沿って凸条形成されている。
【００１４】
また位置決め部５ｂの内側面５ｃには、その内側面５ｃの長手方向に沿って、ＴＦＴガラス基板３１の周縁部３１ｂ，３１ｃに係合する係合爪５ｄが凸状形成されている。尚、位置決め部５ｂ−２の内側面５ｃには、係合爪５ｄは無くても構わない。
【００１５】
またバックライト筐体５には、位置決め部５ｂの内側面５ｃから突出・後退自在に可動する様に可動部材５ｅが配設されている。ここでは、可動部材５ｅは、位置決め部５ｂの端部（ここでは両端部）において、位置決め部５ｂの内側面５ｃに垂直な方向に突出・後退自在に可動する様に配設されている。可動部材５ｅは、その突出状態で、位置決め部５ｂの内側面５ｃから突出して、ＴＦＴガラス基板３１の残りの１辺３１ｆの位置を位置決めし、その後退状態で、位置決め部５ｂの内側面５ｃの後側に後退して、固定面５ａの面方向からのＴＦＴガラス基板３１の固定面５ａ上への挿入・取り外しを可能とする。尚、図５では、可動部材５ｅは、後退状態になっている。
【００１６】
次に図１〜図４に基づき液晶パネル３とバックライト筐体５との相互固定の仕方を説明する。
【００１７】
図２の様にバックライト筐体５の可動部材５ｅを後退させる。そして図３の様に、液晶パネル３を、位置決め部５ｂの無い側（可動部材５ｅ側）から、バックライト筐体５の固定面５ａ上を摺動させて、固定面５ａ上に挿入配置させる。
【００１８】
より詳細には、ＴＦＴガラス基板５を、ＣＦガラス基板３２側を上側に向け、且つその両辺３１ｅをバックライト筐体５の両側の位置決め部５ｂ−１の内側に配置させる様にして、その辺（ＦＰＣ３３の無い側の辺）３１ｄ側から、バックライト筐体５の固定面５ａ上を摺動させて、その辺３１ｄが位置決め部５ｂ−２に当接するまで押し込む。
【００１９】
そして図４の様に、バックライト筐体５の可動部材５を可動させて突出状態にする。この状態で、液晶パネル３は、位置決め部５ｂおよび可動部材５ｅにより固定面５ａの面方向の位置が位置決めされると共に、係合爪５ｄがＴＦＴガラス基板３１の周縁部３１ａ，３１ｂに係合して固定面５ａ上に固定される。
【００２０】
そしてこの状態で可動部材５ｅを後退させて、液晶パネル３をバックライト筐体５から引き抜くと、液晶パネル３をバックライト筐体５から取り外す事ができる。
【００２１】
以上の様に構成された液晶表示装置によれば、バックライト筐体５の固定面５ａに配設された係合爪５ｄが、固定面５ａに位置決め配置されたＴＦＴガラス基板３１の周縁部３１ａ，３１ｂが係合するので、液晶パネル３のバックライト筐体５への固定・取り外しが自在に行え、これにより液晶パネル３とバックライト筐体５との間に異物やゴミが検出された場合に容易に手直しができる。
【００２２】
またバックライト筐体５の固定面５ａ上に、ＴＦＴガラス基板３１の３辺３１ｄ，３１ｅの位置を位置決めする位置決め部５ｄを備えるので、バックライト筐体５の固定面５ａ上に配置されたＴＦＴガラス基板３１の３辺３１ｄ，３１ｅの位置を位置決めできる。
【００２３】
また位置決め部５ｂの内側面５ｃから突出・後退自在に可動する様に可動部材５ｅが配設され、その突出状態で、ＴＦＴ基板３１の残りの１辺３１ｆの位置を位置決めし、その後退状態で、バックライト筐体５の固定面５ａの面方向からのＴＦＴ基板３１の固定面５ａ上への挿入・取り外しを可能とするので、液晶パネル３の取り出しを可能にしつつＴＦＴガラス基板３１の残りの１辺３１ｆの位置を位置決めできる。
【００２４】
また可動部材５ｅは、位置決め部５の端部において位置決め部５の内側面５ｃに垂直な方向に可動する様に配設されるので、その突出状態において、ＴＦＴガラス基板３１の辺３１ｆの位置をしっかりと位置決めできる。
【図面の簡単な説明】
【００２５】
【図１】実施の形態１に係る液晶表示装置の液晶パネル３の平面図である。
【図２】実施の形態１に係る液晶表示装置のバックライト筐体５の平面図である。
【図３】実施の形態１に係る液晶表示装置の液晶パネル３とバックライト筐体５との相互固定の仕方を説明する側面図である。
【図４】実施の形態１に係る液晶表示装置の液晶パネル３とバックライト筐体５との相互固定状態の平面図である。
【符号の説明】
【００２６】
３  液晶パネル
５  バックライト筐体
５ａ  固定面    
５ｂ  位置決め部
５ｃ  内側面
５ｄ  係合爪
５ｅ  可動部材
３１  ＴＦＴガラス基板
３１ａ，３１ｄ，３１ｃ  周縁部
３１ｄ，３１ｅ，３１ｆ  辺
３２  ＣＦガラス基板
３３  フレキシブルプリント基板
【図１】
0005241327.tif 000002
【図２】
0005241327.tif 000003
【図３】
0005241327.tif 000004
【図４】
0005241327.tif 000005